(57)【要約】【課題】良好な放熱効果を得ることができる実装ケース及び電気光学装置並びに電子機器を提供することを目的とする。【解決手段】電気光学パネル１００を収容する実装ケースにおいて、電気光学パネルを囲む枠状のケース部材２００の、電気光学パネル１００の側面部２０ｂに対向する部位に、該側面部２０ｂに略平行な方向に沿う第１の貫通孔２３１と、該第１の貫通孔２３１に交差し一方の開口部が側面部２０ｂに臨む第２の貫通孔２３２を形成する。【選択図】図２
2008191360.tif 000002
【特許請求の範囲】
【請求項１】
電気光学パネルを収容するケース部材を具備し、
前記ケース部材の、前記電気光学パネルの側面部に対向する部位には、中空部が形成されていることを特徴とする実装ケース。
【請求項２】
前記中空部は、前記電気光学パネルの側面部に沿う方向に前記ケース部材を貫通して設けられた第１の貫通孔であることを特徴とする請求項１に記載の実装ケース。
【請求項３】
前記第１の貫通孔と交差するように前記ケース部材を貫通し、かつ一方の開口部が前記電気光学パネルの側面部に臨むように設けられた第２の貫通孔を有することを特徴とする請求項２に記載の実装ケース。
【請求項４】
ケース部材と、該ケース部材に当接するカバー部材との間において電気光学パネルを挟持して収容する実装ケースであって、
前記電気光学パネルの側面部に対向する部位に中空部を有し、
該中空部は、前記ケース部材の、前記カバー部材に当接する当接面部に設けられた溝部の内壁面と、前記カバー部材とに囲まれた空間により構成されることを特徴とする実装ケース。
【請求項５】
請求項１から４のいずれか一項に記載の前記実装ケースに、前記電気光学パネルが収容されてなることを特徴とする電気光学装置。
【請求項６】
請求項５に記載の前記電気光学装置を具備することを特徴とする電子機器。
【発明の詳細な説明】
【技術分野】
【０００１】
本発明は、電気光学パネルを収容する実装ケース及び該実装ケースを備える電気光学装置並びに該電気光学装置を備える電子機器に関する。
【背景技術】
【０００２】
液晶パネルやプラズマディスプレイパネル等の電気光学パネルを具備した表示装置である電気光学装置は、近年、大画面化、高輝度化、高解像度化の傾向に伴って消費電力が増加する傾向にある。このため、電気光学装置においては消費電力の増加に対応するための冷却構造が重要となっている。例えば、特許文献１に開示のプラズマディスプレイ装置では、筐体の上下面に放熱孔を設け、上下の放熱孔間における空気の流動により冷却を行っている。
【特許文献１】特開２０００−８９６８２号公報
【発明の開示】
【発明が解決しようとする課題】
【０００３】
ところで、ガラスや石英等の基板からなる液晶パネル等の電気光学パネルを、例えば投射型表示装置等の電子機器に配設する場合には、固定や取付け位置の調整を容易なものとするために、電気光学パネルは枠状の実装ケースに収容された状態で取扱われる。実装ケースには、ネジ孔が設けられており、電気光学パネルを投射型表示装置内の所定の位置に容易に固定することができるようになっている。
【０００４】
また、投射型表示装置は、投影画像の高輝度化及び高解像度化を実現するために、光源用ランプとして高出力ランプを採用する傾向にある。この光源用ランプとしてはハロゲンランプが知られているが、このハロゲンランプを代表とする光源用ランプは高輝度な光が得られる反面、ランプから強い熱線が放出される。
【０００５】
このため、投射型表示装置においては、特許文献１のように筐体に放熱孔を設けたとしても、電気光学パネルは実装ケースに覆われているため、電気光学パネルは、ランプから放出される熱線により高温化し易いと言う問題がある。電気光学パネルが高温化してしまうと、電気光学パネルの表示特性や耐久性に悪影響を及ぼしてしまうことになる。
【０００６】
そこで、本発明は上記事情に鑑みてなされたものであり、良好な放熱効果を得ることができる実装ケース及び電気光学装置並びに電子機器を提供することを目的とする。
【課題を解決するための手段】
【０００７】
本発明に係る実装ケースは、電気光学パネルを収容するケース部材を具備し、前記ケース部材の、前記電気光学パネルの側面部に対向する部位には、中空部が形成されていることを特徴とする。
【０００８】
また、本発明の実装ケースは、ケース部材と、該ケース部材に当接するカバー部材との間において電気光学パネルを挟持して収容する実装ケースであって、前記電気光学パネルの側面部に対向する部位に中空部を有し、該中空部は、前記ケース部材の、前記カバー部材に当接する当接面部に設けられた溝部の内壁面と、前記カバー部材とに囲まれた空間により構成されることを特徴とする。
【０００９】
本発明のこのような構成によれば、中空部内を冷却風が流れるため、ケース部材が冷却され、良好な電気光学パネルの放熱効果を得ることが可能となる。
【００１０】
また、本発明は、前記中空部は、前記電気光学パネルの側面部に沿う方向に前記ケース部材を貫通して設けられた第１の貫通孔であることが好ましい。
【００１１】
このような構成によれば、第１の貫通孔内を冷却風が滞りなく通り抜けることが可能であるため、よりケース部材が冷却され、良好な電気光学パネルの放熱効果を得ることが可能となる。
【００１２】
また、本発明は、前記第１の貫通孔と交差するように前記ケース部材を貫通し、かつ一方の開口部が前記電気光学パネルの側面部に臨むように設けられた第２の貫通孔を有することが好ましい。
【００１３】
このような構成によれば、冷却風は電気光学パネルの周囲に導かれ、その後、滞ることなく第２の貫通孔を介して実装ケースの外部へと流れる。これにより、電気光学パネルをより効果的に冷却することが可能となる。
【００１４】
また、本発明の電気光学装置は、前記実装ケースに、前記電気光学パネルが収容されてなることを特徴とする。
【００１５】
このような構成によれば、電気光学パネルを従来に比して効果的に冷却することが可能であることから、電気光学パネルが高温になってしまうことに起因する表示特性の変化や耐久性の低下を防止することが可能となる。
【００１６】
また、本発明の電子機器は、前記電気光学装置を具備することを特徴とする。
【００１７】
このような構成によれば、より信頼性が高く、より表示品位の高い電子機器を提供することができる。
【発明を実施するための最良の形態】
【００１８】
以下、本発明の実施の形態について図面を参照して説明する。以下の実施形態における、電気光学装置は、電子機器としての投射型表示装置に用いられるものであり、電気光学パネルとして透過型の液晶表示パネルを適用したものである。なお、以下の説明に用いた各図においては、各部材を図面上で認識可能な程度の大きさとするため、各部材毎に縮尺を異ならせてある。図１は、液晶プロジェクタの模式図である。図２は、電気光学装置の構成を示す分解斜視図である。図３は、ケース部材を、電気光学パネルを収容する凹部側から見た斜視図である。図４は、図３のIV−IV断面図である。図５は、電気光学装置を冷却する冷却風の流れの様子を示す図である。
【００１９】
まず、投射型表示装置としての液晶プロジェクタの構成について、図１を参照して簡単に説明する。液晶プロジェクタ１１００は、各色光束Ｒ、Ｇ、Ｂを変調する３枚の電気光学パネルであるライトバルブ１００Ｒ、１００Ｇ、１００Ｂを備えている。
【００２０】
液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。
【００２１】
この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロイックプリズム１１１２により再度合成された後、投射レンズ１１１４を介してスクリーン１１２０にカラー画像として投射される。
【００２２】
また、この液晶プロジェクタ１１００では、ライトバルブ１００Ｒ、１００Ｇ及び１００Ｂに対する送風を行う送風ファン１１４１が装着されている。この送風ファン１１４１は、ランプユニット１１０２から発せられる強力な光を主な原因とする、ライトバルブ１００Ｒ、１００Ｇ及び１００Ｂにおける熱の蓄積を緩和する目的を有している。
【００２３】
本実施形態では特に、この送風ファン１１４１から送られてくる風がライトバルブ１００Ｒ、１００Ｇ及び１００Ｂそれぞれに有効に届くように、図示しない流路が形成されており、各ライトバルブ１００Ｒ、１００Ｇ及び１００Ｂに対し所定の方向でもって風が効果的に当たるようになっている。
【００２４】
なお、以下においては、各ライトバルブ１００Ｒ、１００Ｇ、１００Ｂは同一の構成を有する透過型の液晶パネルであるため、これらを電気光学パネル１００と総称し一括して説明する。
【００２５】
図２に示すように、本実施形態の電気光学装置１は、電気光学パネル１００が実装ケース２に収容されて構成されている。実装ケース２は、ケース部材２００とカバー部材３００とにより構成されており、ケース部材２００とカバー部材３００とによって電気光学パネル１００を挟持して、電気光学パネル１００を上述した液晶プロジェクタ１１００の内部に位置決めし固定するためのものである。
【００２６】
電気光学パネル１００は、それぞれがガラス、石英等の透明な材料で形成された一対の基板であるＴＦＴアレイ基板１０と対向基板２０との間に液晶層を封入した透過型の液晶パネルであり、上述した液晶プロジェクタの他に、マイクロディスプレイプロジェクションテレビのライトバルブとしても用いられるものである。
【００２７】
電気光学パネル１００は、画像表示領域１０ａ内において、ＴＦＴアレイ基板１０と対向基板２０との間の電圧レベルを変化させることにより、液晶層の分子集合の配向や秩序を変化させることで、透過する光を変調し、階調表示を可能とする。ＴＦＴアレイ基板１０及び対向基板２０は、それぞれ異なる大きさの矩形状を有し、対向基板２０は、ＴＦＴアレイ基板１０よりも小さく形成されている。
【００２８】
電気光学パネル１００のＴＦＴアレイ基板１０の、対向基板２０側の表面の１辺の近傍には、図示しない外部回路接続端子が設けられており、この外部回路接続端子上には、フレキシブルプリント基板（以下、ＦＰＣ（Ｆｌｅｘｉｂｌｅ  Ｐｒｉｎｔｅｄ  Ｃｉｒｃｕｉｔ）と称する）１０１が実装されている。ＦＰＣ１０１は、ＴＦＴアレイ基板１０の対向基板２０側の表面と平行であり、かつ外部回路接続端子が設けられた辺から電気光学パネル１００の外側となる方向へ延出している。例えば、電気光学パネル１００が投射型表示装置に用いられる場合、電気光学パネル１００は、ＦＰＣ１０１を介して図示しない制御装置に接続され、制御装置から伝送される画像信号及び各種駆動信号に基づいて、画像表示を行う。
【００２９】
なお、電気光学パネル１００は、ＴＦＴアレイ基板１０及び対向基板２０の対向する面の裏面となる各々の外表面に、ＴＦＴアレイ基板１０及び対向基板２０に塵埃が付着するのを防止するための透明な防塵用基板が貼り合わされるものであってもよい。
【００３０】
ケース部材２００は、図２から図４に示すように、電気光学パネル１００を収容するための略矩形の枠状の部材であり、厚さを規定する取付面部２０６と、外装面部２０７との二面幅が、電気光学パネル１００の厚さよりも大きく形成されている。ケース部材２００は、熱伝導率の比較的高い材料であるアルミニウム、銅、マグネシウム又はこれらの合金等から構成され、本実施形態では純アルミにより構成されている。なお、実装ケースの材料は金属に限られるものではなく、エンジニアプラスチック等の樹脂やセラミック等であってもよい。枠状のケース部材２００の四隅には、ケース部材２００をネジにより投射型表示装置等に取り付けるための貫通孔２０８が形成されている。
【００３１】
また、ケース部材２００には、電気光学パネル１００を収容するための凹部である収容部２０１が形成されている。収容部２０１は、開口方向から見て底面部が２箇所に存在する、すなわち１段階の段付きの凹部である。言い換えれば、図４に示すように、収容部２０１は、電気光学パネル１００が挿入される側から見て、手前側にＴＦＴアレイ基板１０を収容するための第１段目の凹部２１２が形成されており、該第１段目の凹部２１２の底面部２１１に、第１段目の凹部２１２よりも開口が小さい、対向基板２０を収容するための第２段目の凹部２２２が形成された形状を有する。また、第２段目の凹部２２２の底面部２２１には、電気光学パネル１００を収容した場合に電気光学パネル１００の画像表示領域１０ａに対応する領域に矩形状の貫通孔として設けられた窓部２０２が形成されている。
【００３２】
また、ケース部材２００には、ＦＰＣ１０１が折れ曲がることなくケース部材２００の外部へと延出するように、ＦＰＣ開口部２２０が形成されている。ＦＰＣ開口部２２０は、枠状のケース部材２００の一辺に設けられた切り欠きで、ＦＰＣ１０１の幅よりも大きく形成されている。
【００３３】
また、ケース部材２００の、ＦＰＣ開口部２２０が形成された辺と接し互いに対向する２辺には、それぞれの辺が延在する方向に沿って穿設された中空部である第１の貫通孔２３１が設けられている。すなわち、図４に示すように、第１の貫通孔２３１は、収容部２０１に収容された状態の電気光学パネル１００の側面部２０ｂに沿うように、枠状のケース部材２００の互いに対向する２辺に穿設されているものである。言い換えれば、電気光学装置１において、電気光学パネル１００を収容したケース部材２００には、電気光学パネル１００の側面部２０ｂに沿って電気光学パネル１００を挟むように一対の第１の貫通孔２３１が設けられているのであり、かつ一対の第１の貫通孔２３１は、ＦＰＣ１０１の延出方向に向かって穿設されているのである。
【００３４】
また、ケース部材２００の、ＦＰＣ開口部２２０が形成された辺と接し互いに対向する２辺、すなわち上記第１の貫通孔２３１が穿設された２辺には、第１の貫通孔２３１に交差し、かつ収容部２０１内とケース部材２００の外側面とを連通するように穿設された第２の貫通孔２３１が設けられている。第２の貫通孔２３１は、収容部２０１に電気光学パネル１００を収容した状態において、電気光学パネル１００の側面部２０ｂに臨む位置に開口部が位置するように設けられている。すなわち、電気光学装置１において、電気光学パネル１００の側面部２０ｂは、該第２の貫通孔２３１を介して電気光学装置１の外側に露出しているものである。
【００３５】
また、ケース部材２００の、ＦＰＣ開口部２２０が形成された辺と接する２辺の外側面部の略中央には、爪部２３０が形成されている。
【００３６】
一方、上述のケース部材２００とともに実装ケース２を構成するカバー部材３００は、平板を折り曲げることで断面が略コ字状に形成された部材で、矩形状の窓部３０１を有する額縁上の本体と、本体の両脇に形成されたフック部３０２とを備えている。
【００３７】
カバー部材３００は、フック部３０２がケース部材２００の爪部２３０に係止されることにより、ケース部材２００の取付面部２０６側に位置決めされて固定される。カバー部材３００の窓部３０１は、カバー部材３００とケース部材２００とによって電気光学パネル１００を挟持した場合に、電気光学パネル１００の画像表示領域１０ａが露出するように形成されている。カバー部材３００は、金属又は樹脂により構成される。
【００３８】
以上に説明したケース部材２００とカバー部材３００と電気光学パネル１００とは、接着剤により互いに固定され、電気光学装置１を構成する。また、図４に示すように、電気光学パネル１００をケース部材２００の収容部２０１内に接着剤を介して固定した状態において、電気光学パネル１００の側面部２０ｂと収容部２０１の内壁面部との間、並びに電気光学パネル１００の対向基板２０の主面と収容部２０１の底面部２２１との間には、ともに隙間が生じるように電気光学パネル１００及びケース部材２００の寸法が規定されている。
【００３９】
該電気光学装置１が液晶プロジェクタ１１００内に配設された状態において、図５に示すように、送風ファン１１４１により送られてくる冷却風ＡＦ１は、電気光学パネル１００の主面に略平行に、かつＦＰＣ１０１の延出方向に沿う方向へ流れるように供給される。
【００４０】
すなわち、送風ファン１１４１により送られてくる冷却風ＡＦ１は、ケース部材２００に設けられた第１の貫通孔２３１の穿設方向に沿うように流れるのである。言い換えれば実装ケース２００に設けられた第１の貫通孔２３１の一端側の開口部が冷却風ＡＦ１の流れに対向する方向に向くように、電気光学装置１は液晶プロジェクタ１１００内に配設されている。この、第１の貫通孔２３１に対して沿うように冷却風ＡＦ１が流れる様態は、液晶プロジェクタ１１００に配設された３つの電気光学装置１である各ライトバルブ１００Ｒ、１００Ｇ及び１００Ｂの全てにおいて同様である。
【００４１】
次に、上述した構成による本実施形態の作用及び効果について説明する。図５に示すように、液晶プロジェクタ１１００において、送風ファン１１４１により送られてくる冷却風ＡＦ１は、電気光学パネル１００のＦＰＣ１０１が実装された辺に接する１対の辺に略平行に、かつＦＰＣ１０１の延出方向へと流れる。
【００４２】
ここで、ケース部材２００の第１の貫通孔２３１は、一端側の開口部が冷却風ＡＦ１の流れに対向するように設けられているため、冷却風ＡＦ１の一部は、この第１の貫通孔２３１内を通過する（図５中、ＡＦ２）。
【００４３】
また、冷却風ＡＦ１の一部は、ケース部材２００と電気光学パネル１００との間の隙間を介して、ケース部材２００の収容部２０１内に入り込むように流れる（図５中、ＡＦ４）。
【００４４】
また一方で、冷却風ＡＦ１は、電気光学パネル１００の主面上を流れるだけではなく、図５中のＡＦ３で示すように、ケース部材２００の爪部２３０が形成された外側面部上にも流れる。
【００４５】
このように、収容部２０１内に連通する第２の貫通孔２３１が形成された外側面部に沿うように冷却風ＡＦ１の一部（ＡＦ３）が流れることにより、ケース部材２００の収容部２０１内に流れ込んだ空気（ＡＦ４）は、収容部内に滞ることなく吸い出される様に第２の貫通孔２３１を通って、ケース部材２００の外側面部へと排出される（図５中、ＡＦ５）。
【００４６】
上述のように、本実施形態においては、電気光学パネル１００を収容する実装ケース２において、電気光学パネル１００が収容される凹部である収容部２０１が形成された枠状のケース部材２００の、電気光学パネル１００の側面部２０ｂに対向する部位に、中空部としての第１の貫通孔２３１及び第２の貫通孔２３２が形成されている。
【００４７】
このような構成を有することにより、本実施形態においては、冷却風ＡＦ１がケース部材２００に設けられた第１の貫通孔２３１及び第２の貫通孔２３２内を流れることにより、実装ケース２００が冷却されるため、電気光学パネル１００に対する良好な放熱効果を得ることが可能となる。
【００４８】
また、本実施形態においては、特に第２の貫通孔２３２が設けられていることにより、冷却風ＡＦ１の一部は、電気光学パネル１００の周囲を流れた後に滞ることなく第２の貫通孔２３２から排出されるため、電気光学パネル１００をより効果的に冷却することが可能となるのである。
【００４９】
また、本実施形態の電子機器である液晶プロジェクタ１１００においては、電気光学パネル１００であるライトバルブ１００Ｒ、１００Ｇ、１００Ｂを従来に比して効果的に冷却することが可能であることから、ライトバルブ１００Ｒ、１００Ｇ、１００Ｂが高温になってしまうことに起因する表示特性の変化や耐久性の低下を防止することが可能となる。
【００５０】
なお、上述した本実施形態では、電気光学パネル１００を収容する実装ケース２の中空部は、ケース部材２００に貫通孔を穿設することにより形成されるものであるが、例えば図６に示すように、ケース部材とカバー部材との組み合わせにより中空部が形成されるような形態であってもよい。
【００５１】
より具体的には、図６に示すように、ケース部材２５０の、カバー部材３５０が当接する当接面２５１上であって、かつ電気光学パネルの側面部に対向する部位に溝２５２及び２５３を形成しておく。ここで、溝２５２は、電気光学パネルの側面部に沿う方向に形成され、溝２５３は溝２５２に交差し、かつ当接面２５１の全体にわたって形成されるものである。そして、ケース部材２５０の収容部内に電気光学パネルを接着剤を介して固定した後に、カバー部材３５０を当接面部２５１上に固定する。
【００５２】
このような形態においては、溝部２５２及び２５３の内壁面と、カバー部材３５０とによって囲まれた空間である中空部が形成されるものであり、上述した実施形態における、第１の貫通孔２３１及び第２の貫通孔２３２と同様の構成が得られる。したがって、図６に示すような変形例においても、上述した実施形態と同様の効果が得られるものである。また、本変形例では、ケース部材に貫通孔を穿設するのではなく、ケース部材の平面上に溝部を形成すればよいため、ダイキャストや鍛造により、後加工を施すことなく容易にケース部材を製造することができる。
【００５３】
なお、上述した実施形態において、第１の貫通孔２３１は、電気光学パネル１００の側面部２０ｂと略平行に形成され、第２の貫通孔２３２は、電気光学パネル１００の側面部２０ｂに対して略直交するように形成されているものであるが、実装ケース２の中空部を構成するこれらの貫通孔は、冷却風の流れに応じて上述の実施形態とは異なる角度で形成されるものであってもよいし、また、テーパ状に形成されるものであってもよい。また、第１の貫通孔２３１及び第２の貫通孔２３２の数は、放熱効果を考慮して適宜に決定されるものであり、図示した形態に限られるものではないことは言うまでもない。
【００５４】
また、電気光学装置は、電気光学パネルとして透過型の液晶パネルを用いる場合に限らず、反射型、半透過半反射型の液晶パネルを用いたものであってもよく、さらにバックライト装置やフロントライト装置等を含むものであってもよい。また、本発明は、本実施形態に係る液晶パネルの他に、電子ペーパなどの電気泳動装置、ＥＬ（Electro-Luminescence）表示装置、電子放出回路素子を備えた装置（Field Emission Display及びSurface-Conduction Electron-Emitter Display）等の電気光学装置の技術分野に属するものである。
【００５５】
なお、本発明は、上述した実施形態に限られるものではなく、特許請求の範囲及び明細書全体から読み取れる発明の要旨或いは思想に反しない範囲で適宜変更可能であり、そのような変更を伴う実装ケース、電気光学装置並びに電子機器もまた本発明の技術的範囲に含まれるものである。
【図面の簡単な説明】
【００５６】
【図１】液晶プロジェクタの模式図である。
【図２】電気光学装置の構成を示す分解斜視図である。
【図３】ケース部材を、電気光学パネルを収容する凹部側から見た斜視図である。
【図４】図３のIV−IV断面図である。
【図５】電気光学装置を冷却する冷却風の流れの様子を示す図である。
【図６】実装ケースの変形例を示す斜視図である。
【符号の説明】
【００５７】
１  電気光学装置、  ２  実装ケース、  １００  電気光学パネル、  １０  ＴＦＴアレイ基板、  ２０  対向基板、  ２０ｂ  側面部、  １０１  ＦＰＣ、  ２００  ケース部材、  収容部２０１、  ２３１  第１の貫通孔、  ２３２  第２の貫通孔、  ３００  カバー部材
【図１】
2008191360.tif 000003
【図２】
2008191360.tif 000004
【図３】
2008191360.tif 000005
【図４】
2008191360.tif 000006
【図５】
2008191360.tif 000007
【図６】
2008191360.tif 000008